(57)【要約】【課題】扉体を開放した際に扉体の前面が箱体の枠部に当接して傷が付くのを防止する電気機器収納用箱体を提供する。【解決手段】電気機器収納用箱体１は、前面を開口して成る箱体２と、箱体２の前面開口に形成された枠部２ａに納まるようにして上下両端部に設けられた蝶番１０により開閉自在に設けられる扉体８とで成り、蝶番１０に扉体８から突出する突片１２ｄを設け、扉体８を所定角度開放した際に蝶番１０の突片１２ｄが箱体２の枠部２ａに形成した突片受部２ｃに当接して扉８体が所定角度以上開放できないようにする。【選択図】図７
2010212314.tif 000002
【特許請求の範囲】
【請求項１】
前面を開口して成る箱体と、該箱体の前面開口に形成された枠部に納まるようにして上下両端部に設けられた蝶番により開閉自在に設けられる扉体とで成る電気機器収納用箱体であって、前記蝶番に前記扉体から突出する突片を設け、前記扉体を所定角度開放した際に前記蝶番の突片が前記箱体の枠部に形成した突片受部に当接して前記扉体が所定角度以上開放できないようにしたことを特徴とする電気機器収納用箱体。
【発明の詳細な説明】
【技術分野】
【０００１】
本発明は、各種電気機器を収納するための電気機器収納用箱体に関する。
【背景技術】
【０００２】
従来、配電用機器、制御用機器、通信用機器等の各種電気機器を収納するための電気機器収納用箱体は、一般に前面を開口して成る箱体と、前面開口に開閉自在に設けられる扉体とで成っている。そして、箱体の前面開口に枠部が形成されて、枠部に扉体が納まるように設けられるものもあった（例えば、特許文献１、特許文献２参照。）。
【先行技術文献】
【特許文献】
【０００３】
【特許文献１】特開平９−３２１４５０号公報
【特許文献２】特開平１１−１４６５０９号公報
【発明の概要】
【発明が解決しようとする課題】
【０００４】
しかしながら、従来の電気機器収納用箱体は、箱体の枠部に扉体が納まるように形成されていると、扉体を開放した際に扉体の前面が枠部の角に扉体の前面が当たり、傷が付いてしまうという欠点があった。
【課題を解決するための手段】
【０００５】
本発明は、請求項１に記載の発明によれば、前面を開口して成る箱体と、箱体の前面開口に形成された枠部に納まるようにして上下両端部に設けられた蝶番により開閉自在に設けられる扉体とで成る電気機器収納用箱体であって、蝶番に扉体から突出する突片を設け、扉体を所定角度開放した際に蝶番の突片が箱体の枠部に形成した突片受部に当接して扉体が所定角度以上開放できないようにしたことを特徴とする。
【発明の効果】
【０００６】
請求項１に記載の発明によれば、扉体を開放した際に扉体の前面が箱体の枠部に当接して傷が付くのを防止することができ、突片は蝶番に形成したので箱体の板厚を薄くした場合でも突片の強度は確保することができ、突片の変形を防止することができるという効果がある。
【図面の簡単な説明】
【０００７】
【図１】本発明に係る電気機器収納用箱体を示し、（ａ）は正面図、（ｂ）は右側面図である。
【図２】扉体の正面図である。
【図３】図２のＡ部拡大図である。
【図４】箱体の正面図である。
【図５】図４のＢ部拡大図である。
【図６】扉体を閉塞した状態の電気機器収納用箱体の横断面図である。
【図７】扉体を開放した状態の電気機器収納用箱体の横断面図である。
【図８】図７のＣ部拡大図である。
【発明を実施するための形態】
【０００８】
電気機器収納用箱体は、前面を開口して成る箱体と、箱体の前面開口に形成された枠部に納まるようにして上下両端部に設けられた蝶番により開閉自在に設けられる扉体とで成り、蝶番に扉体から突出する突片を設け、扉体を所定角度開放した際に蝶番の突片が箱体の枠部に形成した突片受部に当接して扉体が所定角度以上開放できないようにする。
【実施例１】
【０００９】
本発明に係る電気機器収納用箱体の実施例１を図１〜図８の添付図面に基づいて説明する。
【００１０】
電気機器収納用箱体１は前面を開口して成る箱体２と、箱体２の前面開口に蝶番１０によって開閉自在に設けられる扉体８とで成っている。
【００１１】
扉体８は、左右一方の端縁の上下に蝶番１０，１０が設けられ、他方の端縁にハンドル１５が設けられている。
【００１２】
蝶番１０は、扉体８の開閉時に軸部となる蝶番ピン１１と、基部１２ａとその両端を折曲した水平板部１２ｂ，１２ｂとで略コ字状に形成し、両方の水平板部１２ｂに形成した孔１２ｃに蝶番ピン１１を挿通させて保持する蝶番金具１２と、蝶番ピン１１を蝶番金具１２から突出する方向に付勢するバネ１３とで成っている。蝶番ピン１１は先端を蝶番金具１２の一方の水平板部１２ｂの孔１２ｃに挿通させ、続いてバネ１３に挿通させてＥリング１４で抜け止めし、更に蝶番ピン１１の先端を他方の水平板部１２ｂの孔１２ｃに挿通させることで蝶番金具に組み付けられ、蝶番ピン１１の先端が扉体８の上下から突出するように蝶番１０，１０は扉体８の上下に取り付けられる。そして、蝶番ピン１１の後端のツマミ１１ａを後方側に引っ張ることでバネ１３の力に抗して蝶番ピン１１の先端が扉体８に引っ込むようになっている。また、蝶番ピン１１の先端側を保持する蝶番金具１２の水平板部１２ｂには扉体８から外側方向に突出するように突片１２ｄが形成されている。
【００１３】
また、箱体２は、前面開口の全周がコ字状に折曲され、更に内側方向にＬ字状に折曲されて枠部２ａを形成し、枠部２ａに扉体８が納まるようになっている。そして、枠部２ａの上下両部には蝶番１０の蝶番ピン１１が挿通する軸孔２ｂが形成され、扉体８の一方の蝶番１０の蝶番ピン１１を軸孔２ｂに嵌挿させ、他方の蝶番１０の蝶番ピン１１はツマミ１１ａを引っ張って扉体８に引っ込んだ状態で蝶番ピン１１と軸孔２ｂの位置を合わせ、位置が合った状態でツマミ１１ａを戻して蝶番ピン１１を軸孔２ｂに嵌挿させることで扉体８が箱体２に着脱自在に取り付けられる。また、枠部２ａの上下両部には蝶番１０の突片１２ｄが挿通する孔が形成され、孔の端縁で扉体８を所定角度開放した際に突片１２ｄが当接する突片受部２ｃを形成している。なお、軸孔２ｂ及び突片受部２ｃは扉体８の開き方向を変更できるように左右両側に形成されている。
【００１４】
このように構成された電気機器収納用箱体１は、扉体８を所定角度開放した際に蝶番１０の突片１２ｄが箱体２の突片受部２ｃに当接し、扉体８が所定角度以上開放できないようにして扉体８の前面と箱体２の枠部２ａとの間に間隔ａを設けるようにしたので扉体８の前面が箱体２の枠部２ａに当接するのを防ぎ、扉体８の前面に傷が付くのを防止することができる。また、突片１２ｄは蝶番１０に形成したので箱体２の板厚を薄く形成した場合でも突片１２ｄの強度は確保することができ、突片１２ｄの変形を防止することができる。
【００１５】
尚、本実施例において、蝶番の蝶番金具の水平板部に突片を形成したがこれに限定するものではなく、また、箱体の突片受部についても枠部に突片が挿通する孔を形成し、孔の端縁に突片が当接するようにしたが、枠部を切り欠いたり、枠部に突設部を形成して突片が当接するように突片受部を形成しても良く、箱体、蝶番、扉体の形状及び構造について本発明の趣旨を逸脱しない範囲で適宜変更して実施することも可能である。
【符号の説明】
【００１６】
１    電気機器収納用箱体
２    箱体
２ａ    枠部
２ｂ    軸孔
２ｃ    突片受部
８    扉体
１０    蝶番
１１    蝶番ピン
１１ａ    ツマミ
１２    蝶番金具
１２ａ    基部
１２ｂ    水平板部
１２ｃ    孔
１２ｄ    突片
１３    バネ
１４    Ｅリング
１５    ハンドル
【図１】
2010212314.tif 000003
【図２】
2010212314.tif 000004
【図３】
2010212314.tif 000005
【図４】
2010212314.tif 000006
【図５】
2010212314.tif 000007
【図６】
2010212314.tif 000008
【図７】
2010212314.tif 000009
【図８】
2010212314.tif 000010